(57)【要約】      （修正有）【課題】ロールシートの置き場所をとらないように一つの装置内に収納した上で、簡単にロールシート材を手で引き出し、所望した長さを決めて真っ直ぐにしかも簡単で安全に切断できるロールシート用切断装置を提供する。【解決手段】  本考案はロールシート10にロール軸11を通して装置内に収納し、カッティングテーブル4とシートオサエカッタープレート5との間でロールシートを引き出す構造とし、シートオサエカッタープレート5の上部に設けたテープメジャースタンド8にロック付でフック金具のあるテープメジャー13をセットし、テープを引いて所望する切断長さを決めて、シートオサエカッタープレートでロールシートを押さえながら、セーフティーロック付スライドカッターで真っ直ぐに簡単で安全に切断作業が行えることで、長さ間違いによるロールシートの切断の無駄を解消し、梱包作業の作業性の向上に役立つ。【選択図】図１
0003117284.tif 000002
【実用新案登録請求の範囲】
【請求項１】
ロールシートをロール軸で挿通し、ロール軸ごと柱部に設けたフック部にフックして収納し、さらにセーフティーロック付スライドカッターをシートオサエプレートの上部に設けたシートオサエプレートとアーム付のカッティング用テーブルが段付蝶番で結合され、カッティングテーブルの正面下部にカッターガードを設けた状態で柱部に取り付けられていることを特徴とするロールシート用切断装置。
【請求項２】
柱にロールハング軸部を設けたことを特徴とする請求項1に記載のロールシート用切断装置。
【請求項３】
シートオサエプレート上部にテープメジャースタンドを設けたことを特徴とする請求項1に記載のロールシート用切断装置。
【請求項４】
カッティングテーブルの上部でシートオサエプレートの後方にシートオサエを設けたことを特徴とする請求項1に記載のロールシート用切断装置。
【考案の詳細な説明】
【技術分野】
【０００１】
本考案は主としてロールシートを１ヵ所で場所を取らずに収納し、簡単にシート材を手で引き出して、簡単に安全でしかも所望した長さを決めて真っ直ぐカットできるロールシート用切断装置に関するものである。
【背景技術】
【０００２】
ロールシートをカットする時、切断装置がない場合には、ロールシートを立てた状態でシートを引き出し、シートの端を引っ張りながらカッターナイフ、ハサミなどを用いて切断する。しかしこのやり方には幾つかの問題を生じる。まず真っ直ぐに切れない。切断した後はシートが垂れてしまう。シートの残りが少なくなると立てて置けない。片方の手でシートを掴みながら、カッターナイフなどを使って切断するとき、切断する必要のないところまで切断してしまうことがある。
【０００３】
また、一般的に知られているロールシート用のスライドカッター類には、丸刃が使用されている。通常薄物のシート切断を想定されているため、丸刃の径が比較的小さく、カッターナイフに比べ丸刃タイプは一般的に厚めのシートを切断することが難しい。
【０００４】
そして前述のロールシート用スライドカッター類は、シートを直線状に切断する目的が主体のため、ロールシートを引き出して切断する時に引き出す長さは、長い物差しを当てて目安にするなどといった方法に頼るほかなく、目安もない場合には、所望する長さは予測で切断し、所望する長さが切断できなかった時は、シートを切り直すなどといった無駄が生じていた。
【特許文献１】特開平09-57682
【考案の開示】
【考案が解決しようとする課題】
【０００５】
ロールシートを所定の場所に収められるようにし、しかもシートが垂れないようにし、丸刃の替わりに市販のカッターナイフを装着し使用できるようなカッター構造で、厚めのシートまでも安全で簡単に切断できるようにし、しかも切断する際にはシートの引き出し長さがわかるようにしたロールシート用切断装置を考案することである。
【課題を解決するための手段】
【０００６】
本考案は、フレームの柱部分に設けたフック部で、ロールシートに挿通したロール軸ごとフックして収納する。
【０００７】
ロールシートを安全で簡単に切断するために、スライドカッター機能が付いたカッティングテーブルをフレームの柱部分に固定することで無理な力をかけずに真っ直ぐにシートを切断できる。
【０００８】
切断用テーブルの手前側部分には、スライドカッターが装着されたシートオサエプレートが段付蝶番で結合されている。開閉されるシートオサエプレートと、テーブルとの間でシートを挟み、引き出し、切断する際には上から押し当てながら簡単に切断できる。
【０００９】
安全に切断するために、カッターナイフの刃物を使用する際に危惧される危険防止に対して、スライドカッター本体にセーフティーロックを取り付け、ロックを解除しないと刃物が突出しない構造にした。
【００１０】
安全に切断するために、切断の際に危惧される刃物の危険防止に対しては、切断用カッティングテーブルの手前下部に刃物の突出をカバーするカッターガード部を設けている。
【００１１】
シートオサエプレートには、テープメジャースタンドが装着してあり、市販のフック金具付で、ストッパーのあるテープメジャーをスタンドに差込むだけで、シートを引き出して切断する長さの目安を、テープメジャーを使って長さ決めをして切断することができる。
【考案の効果】
【００１２】
上述のように本考案のロールシート用切断装置は、丸刃ではなく、市販のカッターナイフを使用したセーフティーロック付のスライドカッター構造のため、切断できるシート材の切断厚さを問わず、シート材の切断可能な材料の種類も増え、しかもテープメジャースタンドを設けたことで、切断するシートの長さの目安を決めながら、シート材の無駄を少なく、簡単で安全なロールシート用切断装置として役立つものである。
【考案を実施するための最良の形態】
【００１３】
上段と下段それぞれのロールシートは、２本のロールハング軸の隙間から巻き込まれた状態で引き出される。この時上段からのシートは２本のロールハング軸の間で挟まれた状態となり、シートが戻りにくくなる。
【００１４】
また下段からのロールシートは、カッティングテーブルに設けられているスプリング蝶番が付いたシートオサエにより、シートが押さえられることにより戻りにくくなる。
【００１５】
上段から引き出されたロールシートをさらに手前に引き寄せ、カッティングテーブルとシートオサエカッタープレートとの隙間にその先端部を滑り込ませる。さらに段付蝶番で開閉が可能なプレートを上方向に開き、中からシートを摘み引き出す。プレートから手を離し、シートの両端を手で掴みシートを引き出すと、プレートは自重でシートを抑える。同時にシートに接するプレート角度がシートの逆戻しを防ぐ効果を生じることによって切断しやすい状態で切断が可能となる。
【００１６】
前述の状態で、シートを切断する場合は任意の長さまで引き出し、また長さの目安を決めて切断する場合は、シートオサエカッタープレートの正面左隅に設けたテープメジャースタンドにフック金具付きでストッパー付きのテープメジャーを差込んでセットし、テープメジャーを切断したい長さまで引き出してロックし、その長さまでを目安にシートを引き出しながら切断することで、切断長さ間違いといった無駄が少なく切断作業が行える。
【００１７】
セーフティーロック付スライドカッターは、正面左端に寄せた位置を切断開始とし前述のシートを引き出し、プレートでシートを抑えた状態でセーフティーロックを解除し、ボタンを押してカッターブレードをカッターガードの中で突出させながら、スライドカッターを左から右方向にスライドさせてロールシートを簡単に安全に切断する。
【００１８】
シートを切断後はスライドカッターを切断開始位置まで戻し、シートオサエカッタープレートを持ち上げ、ロールシートの両端を両手で摘み出し、任意の長さまで引き出し、前述の手順で切断する。
【００１９】
上段シートから下段シートへのセット切り替え作業はカッティングテーブル上で行う。切断終了後、シートオサエカッタープレートを持ち上げると、シートはプレートの自重から開放される。シートを上流側に少し引き戻し、シートオサエにより押さえられている下段シートの手前側を引き寄せテーブルとプレートの隙間を通してさらに手前に引き出しで上段シート切断時と同様の手順でシートを切断する。切断が終了した時点で下段シートはプレートの自重とシートオサエにより押さえられ保持される。
【００２０】
前述の状態で下段シートから上段シートへのセット切り替え作業は、まずプレートを持ち上げシートを上流側に少し引き戻す。テーブル上で下段シートの上に載った状態にあるシートを掴み、セットを同様の手順でセットを簡単に切り替えられる。
【実施例】
【００２１】
以下、添付図面に従って一実施例を説明する。図1のように、柱1にはロール軸11をフックするためのフック部3を、アーム2を基準に上下の位置に最低各1ヶ所以上設けてある。
【００２２】
2本の柱の間で、テーブル4と取り付け高さよりやや高い位置には、上段と下段に分かれた2本のロールハング軸12が設けてある。この上段のロールハング軸は、正面側で、下段のロールハング軸よりやや高めの位置にあり、これら2本の間には、少し距離を持たせている。
【００２３】
左右2本のアーム2には正面側に１枚の板状カッティングテーブル4が正面に突き出した位置で設けてある。このカッティングテーブル4の正面側上部には、段付蝶番6で結合されたシートオサエプレート5を設けている。
【００２４】
さらにこのカッティングテーブル4の上流部には、ロールハング軸12とシートオサエプレート5との間で、スプリング蝶番16が取り付けられた板状のシートオサエ部15が設けられている。図3(b)のように、シートオサエ部15は下段のロールシートを上からスプリング蝶番のバネの力を利用して押さえることで、シート切断後のシートの巻き戻りを防止する。
【００２５】
図3(a)のように、カッティングテーブル4の正面下側には、セーフティーロック付スライドカッター7の使用時において突出するカッターブレード7ｃをカッターガード9が覆い隠している。カッターの下側に人の手などが触れた時に、安全を確保する目的でカッターガード9が設けられている。
【００２６】
図4(a)のように、シートオサエプレート5の上部には、スライドレール部14が設けてあり、セーフティーロック付スライドカッター7のスライドガイド部7ｇを通してスライドされる構造となっている。
【００２７】
さらに図4(a)のように、シートオサエプレート5の正面左端には、板状で垂直に立つテープメジャースタンド8が設けられ、フック金具の付いたテープメジャー13をフックしてセットできる。
【００２８】
図3(b)のように、セットされたテープメジャー13からテープを引き出して切断したい長さを決めてロックすると、その長さを目安にロールシート10を切断できる。
【００２９】
図5は、セーフティーロック付スライドカッター7の構造を説明している。スライドカッターのハウジングには、交換しやすい丸いセット穴のついた市販のカッターブレード7cと、外部に突出したボタン部7bを設け、回転可能なカッターブレードホルダー7ｆがある。このカッターブレードホルダーには、突出した鍵部を設けたセーフティーロック7aの鍵部を受ける鍵溝が設けてある。
【００３０】
図5(a)では、スライドカッターのハウジング部とカッターブレードホルダー7fは引っ張りバネ7eで結ばれている。この位置では、押しバネ7dがセーフティーロック7aを押した状態の位置で鍵部と鍵溝が合致し、ボタン7dは力をかけても動かない。つまり、カッターブレード7cをスライドカッターのハウジングから突出させず安全な状態となる。
【００３１】
図5(b)では、セーフティーロック7aを矢印の方向に移動させると、鍵部がカッターブレードホルダーの溝から解除され、ボタン7bを矢印の方向に押して回転するカッターブレードホルダーと一体となっているカッターブレード7cは、ハウジング部より突出してあらわれる。つまり、この状態で切断可能の状態となる。
【００３２】
図5(c)では、図5(b)のボタンを押した状態から手を離し解除した時に再びセーフティーロックがかかる状態を示している。ボタン7bから手を離すと、引っ張りバネ7eが作用し、図のようにカッターブレードホルダー7fは右方向に回転して戻る。セーフティーロック7aの鍵部は鍵溝と一致した位置において押しバネ7dに押された状態でロックする。つまりこの状態では、カッターブレードはハウジングの中に戻ることで安全を確保できる。
【図面の簡単な説明】
【００３３】
【図１】本考案の一実施形態に係わるロールシート用切断装置の左側面図である。
【図２】(a)ロールシート用切断装置にロールシートを上段と下段にそれぞれセットし、図のようにシートの先端部を引き出し、ロールハング軸12に巻き込み、カッティングテーブル4上でシートオサエカッタープレート5との間からロールシートを引き出した状態を示す左側面図である。(b)は、(a)の状態からさらに切断したい長さの目安をシートオサエカッタープレート5にセットされたテープメジャー13を用いて長さを決めたところまでシートを引き出し、セーフティーロック付スライドカッター7を押し当て切断する状態を示す左側面図である。
【図３】(a)同上の実施形態におけるカッティングテーブル部とシートオサエカッタープレート部を示す拡大左側面図である。(b)は同上の実施形態を示す上面図である。
【図４】(a)ロールシートをカッティングテーブルとシートオサエカッタープレートで挟んだ状態を示す正面図である。(b)は同上の状態からセーフティーロック7aを解除し、ボタン7bを押してカッターブレード7cをカッターガード9の中で突出させながら、右方向にスライドさせてシートを切断している状態を示す正面図である。
【図５】(a)本考案のロールシート用切断装置の主要部分であるセーフティーロック付スライドカッター7部の機能構造を示す正面図であり、この状態においては、セーフティーロック7aの突出した鍵部がカッターブレードホルダー7fの鍵溝部にはまり込み、ボタン7bを指で押してもロックされた状態となり、カッターブレード7cは突出されず安全を確保していることを示している。(b)はセーフティーロック7aを矢印の方向に押すことで、カッターブレードホルダー7fの鍵溝部に押し込まれていたセーフティーロックの鍵部を溝から解除し、続いてボタン7bを矢印の方向に指で押すとカッターブレード7cは連動してスライドカッターのハウジングからブレードが突出する機能構造であることを示す正面図である。(c)は同上の状態から、指をボタン7bから離すと、スライドカッターのハウジング部とカッターブレードホルダー7fが引っ張りバネ7eで繋がれている為、引っ張りバネの作用でボタン7bは戻し上げられる。カッターブレードホルダー7fの切欠き部とボタン7bの突出部が同じレベルの位置に達した時、ボタン7bの左端部に取り付けられた押しバネ7dのバネの押し戻し作用により再びロックされる状態を示した正面図である。
【符号の説明】
【００３４】
柱部
アーム部
フック部
カッティングテーブル部
シートオサエカッタープレート部
段付蝶番
セーフティーロック付スライドカッター
7a セーフティーロック
7b ボタン部
7c カッターブレード
7d 押しバネ
7e 引っ張りバネ
7f カッターブレードホルダー部
7g スライドガイド部
テープメジャースタンド部
カッターガード部
ロールシート
ロール軸
ロールハング軸
テープメジャー
スライドレール部
シートオサエ部
16 スプリング蝶番
【図１】
0003117284.tif 000003
【図２】
0003117284.tif 000004
【図３】
0003117284.tif 000005
【図４】
0003117284.tif 000006
【図５】
0003117284.tif 000007